(57)【要約】【課題】バッグフィルタの交換を容易にできると共にメンテナンス性を向上させることが可能な濾過装置を提供する。【解決手段】中心軸線Ｌに沿って延在する筒状のハウジング２と、ハウジング２に収容されたバスケット３と、バスケット３の内面３ａに沿って配置されたバッグフィルタと、を備え、ハウジング２は、中心軸線Ｌの延在方向の一方側に位置する入口部２ａと、延在方向の他方側に位置する出口部２ｂと、を有し、入口部２ａから供給された流体をバッグフィルタの内側からバッグフィルタの外側に通して出口部２ｂに流すことで流体を濾過する濾過装置１であって、バスケット３の入口部２ａ側への抜け止めを行う抜け止め部２０を備え、抜け止め部２０は、バスケット３の底部３ｄに設けられたバスケット側抜け止め部２１と、ハウジング２の内周面２ｅの出口部２ｂ側に設けられたハウジング側抜け止め部２２と、を有する。【選択図】図２
0003192071.tif 000002
【実用新案登録請求の範囲】
【請求項１】
中心軸線に沿って延在する筒状のハウジングと、前記ハウジングに収容されたバスケットと、前記バスケットの内面に沿って配置されたバッグフィルタと、を備え、前記ハウジングは、前記中心軸線の延在方向の一方側に位置する入口部と、前記延在方向の他方側に位置する出口部と、を有し、前記入口部から供給された流体を前記バッグフィルタの内側から前記バッグフィルタの外側に通して前記出口部に流すことで前記流体を濾過する濾過装置であって、
前記バスケットの前記入口部側への抜け止めを行う抜け止め部を備え、
前記抜け止め部は、前記バスケットの底部に設けられたバスケット側抜け止め部と、前記ハウジングの内周面の前記出口部側に設けられたハウジング側抜け止め部と、を有する、
濾過装置。
【請求項２】
前記バスケット側抜け止め部は、前記バスケットの底部で前記延在方向に直交する方向に突出する突出部を有し、
前記ハウジング側抜け止め部には、前記延在方向に沿って前記入口部側から前記出口部側に前記突出部が通される空隙部が形成されており、
前記抜け止め部は、前記突出部が前記ハウジング側抜け止め部より前記出口部側に位置する状態で、前記バスケットが前記中心軸線周りに回転されたときに、前記突出部と前記ハウジング側抜け止め部とが前記延在方向に対向することで抜け止めを行う、
請求項１に記載の濾過装置。
【請求項３】
前記ハウジング側抜け止め部の前記出口部側には、前記突出部が前記ハウジング側抜け止め部より前記出口部側に位置する状態で前記バスケットが前記中心軸線周りに回転されたときに前記突出部が当接するストッパが形成されている、
請求項２に記載の濾過装置。
【請求項４】
前記ハウジング側抜け止め部は、前記入口部側から前記出口部側に貫通され、前記流体の流路となる流通孔部又は流通切欠きを更に有する、
請求項１〜３のいずれか一項に記載の濾過装置。
【考案の詳細な説明】
【技術分野】
【０００１】
本考案は、濾過装置に関する。
【背景技術】
【０００２】
特許文献１には、円筒状のハウジングと、ハウジングの内部に収容されてハウジングの長手方向に延在する有底円筒状のバスケットと、バスケットの内部で保持される有底円筒状のバッグフィルタとを備えた濾過装置が記載されている。バスケットは、金網により網目状に形成されている。ハウジングの上端に位置するハウジングの開口周縁には内側に一段下がる環状の段部が形成されており、バスケットの開口周縁に形成されたフランジが当該段部に載置された状態で、ハウジング内にバスケットが収容される。なお、ハウジングの段部とバスケットのフランジとの間には環状のガスケットが介在している。
【０００３】
また、バスケットのフランジ上には、有底円筒状のバッグフィルタの開口周縁に沿って固定されたリングが載せられる。このリングは、例えばステンレス製であり、不織布等を主体とするバッグフィルタの開口形状を維持している。このようにハウジングの段部上にガスケットとバスケットのフランジとが載置され、このフランジ上にバッグフィルタのリング（開口周縁）が載置された状態でハウジングの上蓋部が閉じられる。そして、この上蓋部によって上からバッグフィルタのリングがハウジング側に押圧されることによりハウジング内の液密性が確保される。
【０００４】
また、ハウジングの開口周縁の段部には、バスケットのフランジから径方向外側に突出する係止片が入り込む係止溝が形成されている。係止溝は、ハウジングの上端から下方に延びる微小な第１溝部と、第１溝部の下端からハウジングの周方向に延びる微小な第２溝部と、を有している。バスケットのフランジの係止片は、ハウジングの係止溝の第１溝部に対して上から入り込み、その後、バスケットの回転により第２溝部内を周方向にスライドすることによって、係止溝に係止される。このような係止片及び係止溝を備えることによって、ハウジングに対してバスケットが係止（上下方向への移動が規制）されるため、バッグフィルタの取り外し時にバスケットまでハウジングから外れることが避けられる。
【先行技術文献】
【特許文献】
【０００５】
【特許文献１】特開２００３−１５４２１３号公報
【考案の概要】
【考案が解決しようとする課題】
【０００６】
ところで、上述した濾過装置では、ハウジングの段部、ガスケット、バスケットのフランジ及びバッグフィルタの開口周縁といった液密性を確保するための構造の他に、第１溝部及び第２溝部を有する係止溝とバスケットのフランジの係止片とがハウジングの開口周縁付近に位置することとなり、ハウジングの開口周縁付近の構造が複雑となっている。
【０００７】
この濾過装置では、濾過対象の流体がハウジングの上端の開口へと供給されるため、濾過対象の流体に含まれる異物等がハウジングの開口周縁付近に付着し、係止溝等に入り込みやすい。このように異物等が係止溝等に入り込み凝固した場合、バスケットのフランジの係止片をハウジングの係止溝から外しにくくなるため、メンテナンス性の観点で改善の余地がある。
【課題を解決するための手段】
【０００８】
本考案は、一つの態様において、中心軸線に沿って延在する筒状のハウジングと、ハウジングに収容されたバスケットと、バスケットの内面に沿って配置されたバッグフィルタと、を備え、ハウジングは、中心軸線の延在方向の一方側に位置する入口部と、延在方向の他方側に位置する出口部と、を有し、入口部から供給された流体をバッグフィルタの内側からバッグフィルタの外側に通して出口部に流すことで流体を濾過する濾過装置であって、バスケットの入口部側への抜け止めを行う抜け止め部を備え、抜け止め部は、バスケットの底部に設けられたバスケット側抜け止め部と、ハウジングの内周面の出口部側に設けられたハウジング側抜け止め部と、を有する。
【０００９】
この態様に係る濾過装置において、バッグフィルタはバスケットの内面に沿って配置され、バスケットは筒状のハウジングに収容される。また、中心軸線の延在方向の一方側に位置する入口部から濾過対象の流体がハウジングの内部に供給され、この流体は、バッグフィルタの内側からバッグフィルタの外側に通されて入口部の反対側に位置する出口部から排出される。この濾過装置には、バスケットの入口部側への抜け止めを行う抜け止め部が設けられており、この抜け止め部によってバスケットの入口部側への抜けが防止される。よって、抜け止め部によりハウジングに対するバスケットの位置が固定されるので、交換等のためにバッグフィルタを入口部側へ引っ張ってバスケットから取り出す作業を容易に行うことができる。また、この抜け止め部は、バスケットの底部に設けられたバスケット側抜け止め部と、ハウジングの内周面の出口部側に設けられたハウジング側抜け止め部と、を有している。このバスケット側抜け止め部とハウジング側抜け止め部は、入口部から離隔した出口部側に設けられるので、入口部付近に抜け止め部を設ける場合と比べて、入口部付近の構造を簡易にすることが可能となる。この場合、濾過対象の流体に含まれる異物等が入口部付近に付着したり、凝固したりする事態を発生しにくくすることができる。一方、出口部側はバッグフィルタによって濾過された流体が流れるため、抜け止め部に異物等が付着しにくい。従って、この濾過装置によれば、抜け止め部を備えることによりバッグフィルタの交換を容易にできると共に、入口部付近に抜け止め部を設ける場合と比べて抜け止め部に異物等が付着しにくく、メンテナンス性を向上させることができる。
【００１０】
他の態様において、バスケット側抜け止め部は、バスケットの底部で上記延在方向に直交する方向に突出する突出部を有し、ハウジング側抜け止め部には、上記延在方向に沿って入口部側から出口部側に突出部が通される空隙部が形成されており、抜け止め部は、突出部がハウジング側抜け止め部より出口部側に位置する状態で、バスケットが中心軸線周りに回転されたときに、突出部とハウジング側抜け止め部とが延在方向に対向することで抜け止めを行ってもよい。
【００１１】
他の態様において、ハウジング側抜け止め部の出口部側には、突出部がハウジング側抜け止め部より出口部側に位置する状態でバスケットが中心軸線周りに回転されたときに突出部が当接するストッパが形成されていてもよい。
【００１２】
他の態様において、ハウジング側抜け止め部は、入口部側から出口部側に貫通され、流体の流路となる流通孔部又は流通切欠きを更に有してもよい。
【考案の効果】
【００１３】
本考案によれば、バッグフィルタを入口部側へ引っ張ってバッグフィルタをバスケットから取り出す作業を容易に行うことができると共に、流体の入口部付近の構造を簡易にすることが可能となる。よって、異物等が入口部付近に付着したり凝固したりする事態を発生しにくくすることが可能となり、メンテナンス性を向上させることができる。
【図面の簡単な説明】
【００１４】
【図１】第１実施形態に係る濾過装置を示す斜視図である。
【図２】図１の濾過装置を示す部分断面図である。
【図３】バッグフィルタを示す斜視図である。
【図４】流体の入口部付近を拡大して示す断面図である。
【図５】バスケットを示す斜視図である。
【図６】バスケットの底部付近を拡大して示す斜視図である。
【図７】流体の入口部側からハウジングを見た状態を示す斜視図である。
【図８】（ａ）は、ハウジング側抜け止め部を示す平面図である。（ｂ）は、ハウジング側抜け止め部を示す側面図である。（ｃ）は、ハウジング側抜け止め部を示す斜視図である。
【図９】第１実施形態に係るバスケット側抜け止め部を示す底面図である。
【図１０】（ａ）は、第２実施形態に係るバスケット側抜け止め部を示す底面図である。（ｂ）は、第２実施形態に係るハウジング側抜け止め部を示す平面図である。
【図１１】（ａ）は、第３実施形態に係るハウジング側抜け止め部を示す平面図である。（ｂ）は、第４実施形態に係るハウジング側抜け止め部を示す平面図である。
【考案を実施するための形態】
【００１５】
以下、本考案の好適な実施形態について、図面を参照しながら説明する。なお、本考案は、以下の実施形態に限定されるものではない。
【００１６】
（第１実施形態）
図１〜図３に示されるように、本実施形態の濾過装置１は、中心軸線Ｌに沿って延在する円筒状のハウジング２と、ハウジング２の中心軸線Ｌに沿って延在するようにハウジング２の内部に収容される有底円筒状のバスケット３と、バスケット３の内面３ａに沿って配置される有底円筒状のバッグフィルタ４とを備えている。この濾過装置１では、濾過対象の流体がハウジング２の上端で環状に形成された入口部２ａからハウジング２の内部に供給される。
【００１７】
濾過装置１は、工場又は下水処理場等、種々の場所で利用することが可能となっている。濾過装置１の濾過対象の流体としては、例えば、工業用排水等の汚水、塗料、食品又は医薬品等の液体又は粘性体が挙げられる。濾過装置１の高さは、例えば１ｍ程度となっている。濾過装置１には、ハウジング２の入口部２ａから連続的に流体が供給され、この流体がバッグフィルタ４で濾過されて出口部２ｂから排出されることにより、大量の流体の連続的な濾過が可能となっている。
【００１８】
入口部２ａからハウジング２の内部に供給された流体は、バッグフィルタ４の内側に入り込み、バッグフィルタ４の内側からバッグフィルタ４の外側に通され、流体内の異物がバッグフィルタ４で除去されることによって濾過される。バッグフィルタ４によって濾過された流体は、バスケット３の内側からバスケット３の外側に通されて、ハウジング２の下端の出口部２ｂに向かって流下し、出口部２ｂからハウジング２の外部に排出される。出口部２ｂの下部には、外部の管路と連結するためのフランジ部２ｃが設けられている。
【００１９】
フランジ部２ｃには、ボルトを挿通させる複数の挿通孔２ｄが設けられている。この挿通孔２ｄと濾過装置１外部の管路におけるフランジ部の挿通孔とにボルトを挿通し、このボルトをナットで締めつけることによって、出口部２ｂを外部の管路と接続させることが可能となる。なお、各図においては、ハウジング２の出口部２ｂから入口部２ａを見た方向をＺ軸正方向としており、このＺ軸とＸ軸及びＹ軸とを記載している。
【００２０】
ハウジング２は、ステンレス製である。ハウジング２は、アジャスタブルスタンド１０によって、中心軸線Ｌが上下方向に沿うように立設される。アジャスタブルスタンド１０は、ハウジング２の外周でハウジング２の周方向に沿うように設けられる２枚の保持部１１と、保持部１１の外側で固定され保持部１１からハウジング２の出口部２ｂよりも下方に延在する３本の脚部１２とを備えている。
【００２１】
各脚部１２の下端には、例えば、水平方向に延在し平坦なコンクリート床等に固定される板状部１２ａが設けられており、この板状部１２ａにはアンカーボルトを挿通させる挿通孔１２ｂが形成されている。また、各保持部１１における周方向側の端部（図１における保持部１１の裏側に位置する端部）は、互いに対向すると共にハウジング２から離れる方向に突出しており、この突出した部分がボルト締めされることによって、２枚の保持部１１がハウジング２を保持した状態で連結される。このようにアジャスタブルスタンド１０では、２枚の保持部１１でハウジング２を保持すると共に、脚部１２の各板状部１２ａの挿通孔１２ｂに下からアンカーボルトを挿通させて各アンカーボルトをナットで締めることにより、ハウジング２を立設させることが可能となる。
【００２２】
ハウジング２の外周の上端には、濾過対象の流体をハウジング２の入口部２ａに導く流体導入部７が固定されている。流体導入部７は、ハウジング２の外周の上端で上方に開口する開口部７ａと、開口部７ａから下方に向かうほどハウジング２から離れる方向に湾曲する管路部７ｂと、管路部７ｂにおける開口部７ａの反対側に位置する円板形のフランジ部７ｃとを備えている。フランジ部７ｃには、ボルトを挿通させる４個の挿通孔７ｄが配置されている。フランジ部７ｃは、濾過装置１の外部の管路と接続可能となっており、濾過装置１外部の管路におけるフランジ部の挿通孔と挿通孔７ｄとにボルトを挿通して、このボルトをナットで締めることによって、管路部７ｂと外部の管路とが接続される。流体導入部７の開口部７ａには、Ｏリング１５を嵌め込むための環状凹部が設けられており、このＯリング１５は、上記の環状凹部に対して簡単に着脱できるようになっている。
【００２３】
また、ハウジング２の入口部２ａの上端には、Ｏリング１４を嵌め込むための環状凹部が設けられており、入口部２ａを封止する際には、このＯリング１４が上記環状凹部に嵌め込まれる。なお、Ｏリング１４は、この環状凹部から簡単に外すことができる。また、ハウジング２の入口部２ａにおける流体導入部７の反対側には、ハウジング２の入口部２ａと流体導入部７の開口部７ａとを封止する上蓋部５が、支持部材６によって支持されている。上蓋部５は、支持部材６によって、ハウジング２及び流体導入部７を上から開閉させる開閉方向Ｄに揺動自在に支持されている。
【００２４】
この上蓋部５のハウジング２側には、Ｏリング１４，１５と当接する平坦面５ａと、上蓋部５の内部で互いに連通する２個の凹部５ｂ，５ｃとが形成されている。上蓋部５の凹部５ｂを入口部２ａに対向させ凹部５ｃを開口部７ａに対向させると共に平坦面５ａでＯリング１４，１５を上から押圧することによってハウジング２及び流体導入部７を封止可能となっている。このように上蓋部５によってハウジング２及び流体導入部７を封止すると、流体導入部７の管路部７ｂと上蓋部５の凹部５ｂ，５ｃとハウジング２の入口部２ａとが連通される。よって、濾過装置１の外部の管路から流体導入部７及び上蓋部５を介してハウジング２に濾過対象の流体を流入させることが可能となる。また、上蓋部５における凹部５ｃの反対側の表面には、外方に突出する取っ手５ｄが設けられている。
【００２５】
ハウジング２の上端部には、上蓋部５をハウジング２と流体導入部７とに締め付ける２個の締め付け部１３が固定されている。この２個の締め付け部１３と支持部材６とは、ハウジング２の周方向で等間隔となる位置に配置されている。また、流体導入部７の管路部７ｂの上部にも１個の締め付け部１３が固定されている。各締め付け部１３は、２枚の矩形板状のブラケット１３ａと、２枚のブラケット１３ａの間で各ブラケット１３ａに対して回転自在に連結される締め付けナット１３ｂと、締め付けナット１３ｂが挿通されるワッシャ１３ｃと、締め付けナット１３ｂにおけるブラケット１３ａの反対側に位置するボルト部１３ｄとを備えている。なお、ボルト部１３ｄにはリング部１３ｅが固定されているので、手でボルト部１３ｄを回転させやすくなっている。
【００２６】
また、上蓋部５の締め付け部１３に対応する位置には、締め付け部１３の締め付けナット１３ｂを固定させる固定部５ｅが設けられている。固定部５ｅは、上蓋部５の外周面から外方に突出する一対のナット保持部５ｆを備えている。２個のナット保持部５ｆの間に締め付けナット１３ｂを挟み込ませた状態でボルト部１３ｄを回転させ、このボルト部１３ｄによってワッシャ１３ｃをナット保持部５ｆに上から押し付けることによって、上蓋部５がハウジング２と流体導入部７に締め付けられる。
【００２７】
ところで、バスケット３の開口縁部にはフランジ３ｂが設けられており、フランジ３ｂから中心軸線Ｌの延在方向に所定距離だけ離れた箇所には、多数の孔部３ｃが形成されている。バスケット３は、バッグフィルタ４を内面３ａで保持するために設けられるものであり、流体の濾過によってバッグフィルタ４が破れる事態を阻止することを可能とするものである。このバスケット３は、ステンレス製であり、例えば、孔部３ｃはパンチングによって形成されている。また、バスケット３の内面３ａに沿って配置されるバッグフィルタ４の開口縁部４ａには、ステンレス製又は合成樹脂製のリング４ｂが保持されている。
【００２８】
バッグフィルタ４は、例えば、不織布等によって構成された布製のフィルタである。バッグフィルタ４の目の粗さとしては、濾過装置１で濾過する対象の流体に応じて適宜変更することが可能である。バッグフィルタ４のリング４ｂは、例えば、このバッグフィルタ４の開口縁部４ａが折り返され、この折り返された部分にリング４ｂが収容された状態で縫製加工が施されることにより、開口縁部４ａ内で保持される。開口縁部４ａには、上記縫製加工に伴う縫い目４ｃが形成されており、この縫い目４ｃに沿って開口縁部４ａを外側に折り曲げやすくなっている。また、開口縁部４ａの内側には縫製加工によって紐状の取っ手部４ｄが取り付けられている。
【００２９】
次に、入口部２ａ付近におけるハウジング２、バスケット３、バッグフィルタ４及び上蓋部５の構造について図４を参照しながら説明する。まず、ハウジング２の入口部２ａの下部には、環状の段部２ｆが設けられており、この段部２ｆの上面には環状のガスケット１６が載置される。ガスケット１６は、シート状となっており、例えばＰＴＦＥ（Poly Tetra Fluoro Ethylene）で構成されている。ガスケット１６の上部にはバスケット３のフランジ３ｂが載置される。フランジ３ｂの上部には、リング４ｂを有するバッグフィルタ４の開口縁部４ａが載置される。
【００３０】
このように開口縁部４ａが載置された状態で上蓋部５が閉められると、上蓋部５の平坦面５ａが開口縁部４ａを上から押圧する。このような平坦面５ａによる開口縁部４ａの押圧が行われることよって、バッグフィルタ４がバスケット３の内面３ａに沿った状態で保持され、上蓋部５を閉じたときにおけるハウジング２の入口部２ａの液密性が確保される。ハウジング２の入口部２ａ付近は、上記のように、段部２ｆにガスケット１６、フランジ３ｂ及び開口縁部４ａが載置される簡易な構成となっている。
【００３１】
ところで、本実施形態に係る濾過装置１には、図５〜図７に示されるように、バスケット３の入口部２ａ側への抜け止めを行う抜け止め部２０が設けられている。この抜け止め部２０は、バスケット３の底部３ｄに設けられたバスケット側抜け止め部２１と、ハウジング２の内周面２ｅの出口部２ｂ側に設けられたハウジング側抜け止め部２２と、を有する。
【００３２】
バスケット側抜け止め部２１は、バスケット３と同様、ステンレス製である。図５及び図６に示されるように、バスケット側抜け止め部２１は、バスケット３の底部３ｄに固定された基部２１ａと、基部２１ａから中心軸線Ｌの延在方向に直交する方向に突出する突出部２１ｂとを備えている。基部２１ａは、バスケット３の底部３ｄから中心軸線Ｌの延在方向に延びる円環状となっている。基部２１ａは、例えばスポット溶接によりバスケット３の底部３ｄに固定されている。
【００３３】
バスケット側抜け止め部２１の突出部２１ｂは、基部２１ａの出口部２ｂ側に位置し、基部２１ａの外周面２１ｃから径方向外側に突出している。突出部２１ｂは、基部２１ａの周方向に延びる板状となっている。突出部２１ｂは、中心軸線Ｌに対して対称となる２箇所の位置に設けられている。突出部２１ｂは、中心軸線Ｌと直交する方向で互いに対向する一対の側面２１ｄと、突出部２１ｂの先端に位置する外周面２１ｅと、中心軸線Ｌの延在方向で互いに対向する一対の平坦面２１ｆとを有する。
【００３４】
図７及び図８（ａ）〜図８（ｃ）に示されるように、ハウジング側抜け止め部２２は、円環状となっている。ハウジング側抜け止め部２２もバスケット側抜け止め部２１と同様ステンレス製である。ハウジング側抜け止め部２２の外径は、ハウジング２の内周面２ｅの径よりも若干短い程度となっている。ハウジング側抜け止め部２２の外周面２２ａは、例えば、ハウジング２の内周面２ｅに点付け溶接で固定されている。ハウジング側抜け止め部２２は、円形の孔部２２ｂと、孔部２２ｂの径方向外側に形成された一対の切り欠き部（空隙部）２２ｃと、を備えている。
【００３５】
図８（ａ）及び図９に示されるように、ハウジング側抜け止め部２２の孔部２２ｂの半径Ｈ１は、バスケット側抜け止め部２１の基部２１ａの半径Ｂ１よりも長く且つバスケット３の半径Ｂ２よりも短くなっている。また、ハウジング側抜け止め部２２の切り欠き部２２ｃは、バスケット側抜け止め部２１の突出部２１ｂに対応した形状となっている。具体的には、切り欠き部２２ｃは、ハウジング側抜け止め部２２の孔部２２ｂから互いに平行に延びる２つの平坦面２２ｄと、各平坦面２２ｄからハウジング側抜け止め部２２の外周面２２ａと平行に延在する内周面２２ｅとを有する。
【００３６】
中心軸線Ｌから切り欠き部２２ｃの内周面２２ｅまでの長さＨ２は、中心軸線Ｌから突出部２１ｂの外周面２１ｅまでの長さＢ３よりも長くなっている。また、切り欠き部２２ｃの内周面２２ｅにおける周方向の長さＨ３は、突出部２１ｂの外周面２１ｅにおける周方向の長さＢ４よりも長くなっている。以上のように、ハウジング側抜け止め部２２の孔部２２ｂの半径Ｈ１がバスケット側抜け止め部２１の基部２１ａの半径Ｂ１よりも長く、中心軸線Ｌから内周面２２ｅまでの長さＨ２が中心軸線Ｌから外周面２１ｅまでの長さＢ３よりも長く、且つ、内周面２２ｅの周方向の長さＨ３が外周面２１ｅの周方向の長さＢ４よりも長くなっている。
【００３７】
よって、中心軸線Ｌの延在方向に、バスケット側抜け止め部２１の基部２１ａをハウジング側抜け止め部２２の孔部２２ｂに上から挿通させると共に、バスケット側抜け止め部２１の各突出部２１ｂをハウジング側抜け止め部２２の各切り欠き部２２ｃに上から挿通させることが可能となる。また、突出部２１ｂを切り欠き部２２ｃに上側（入口部２ａ側）から挿通させた状態（突出部２１ｂが中心軸線Ｌの延在方向でハウジング側抜け止め部２２より出口部２ｂ側に位置する状態）でバスケット３を中心軸線Ｌ周りに回転させることにより、図２に示されるように、突出部２１ｂの上面とハウジング側抜け止め部２２の下面とが中心軸線Ｌの延在方向に対向する。このように突出部２１ｂの上面とハウジング側抜け止め部２２の下面とが中心軸線Ｌの延在方向に対向することにより、抜け止め部２０によるバスケット３の入口部２ａ側への抜け止めが実現される。
【００３８】
また、ハウジング側抜け止め部２２の孔部２２ｂの半径Ｈ１は、孔部２２ｂの面積と２個の切り欠き部２２ｃの面積との和（出口側の流路面積）が、流体導入部７の管路部７ｂの断面積（入口側の流路面積）よりも大きくなる長さとなっている。よって、流体導入部７からハウジング２に流れ込んだ流体が抜け止め部２０で滞留することなく出口部２ｂから濾過装置１の外部にスムーズに排出されることとなる。従って、流体を流体導入部７からハウジング２の内部に連続的に流しても、抜け止め部２０で流体が滞留する事態を回避することが可能となっている。
【００３９】
図８（ａ）〜図８（ｃ）に示されるように、ハウジング側抜け止め部２２の周方向における切り欠き部２２ｃが存在しない位置には、板状のハウジング側抜け止め部２２から面外方向（中心軸線Ｌの延在方向）に突出する２個のストッパ２２ｇが溶接によって固定されている。ストッパ２２ｇは矩形板状となっている。ストッパ２２ｇは、中心軸線Ｌを挟むように２箇所に設けられている。２個の矩形板状のストッパ２２ｇは、互いに平行に配置されている。また、中心軸線Ｌと各ストッパ２２ｇを結ぶ直線Ｘと、中心軸線Ｌと各切り欠き部２２ｃの周方向中央部分を結ぶ直線Ｙとのなす角度θは、約１５０度とすることができる。図８（ａ）及び図９に示されるように、突出部２１ｂを切り欠き部２２ｃに上側から挿通させた状態でバスケット３を中心軸線Ｌ周りに回転させると、突出部２１ｂがストッパ２２ｇに当接することで回転が止められ、中心軸線Ｌ周りの突出部２１ｂの位置が決まる。
【００４０】
次に、ハウジング２の内部にバスケット３及びバッグフィルタ４を設置して、濾過装置１に濾過対象の流体を流すことが可能な状態となるようにセッティングを行う方法について説明する。
【００４１】
まず、アジャスタブルスタンド１０によってハウジング２が立設された状態とし、ハウジング２における出口部２ｂのフランジ部２ｃと流体導入部７のフランジ部７ｃとを外部の管路に接続させた状態とする。そして、ハウジング２の入口部２ａの下側に位置する段部２ｆにガスケット１６を載置する。次に、バスケット３を手に取って、バスケット側抜け止め部２１の突出部２１ｂがハウジング側抜け止め部２２の切り欠き部２２ｃの直上に位置するように、ハウジング２に対するバスケット３の位置を調整する。
【００４２】
その後、バスケット３をハウジング２の内部で下方に移動させて、突出部２１ｂがハウジング側抜け止め部２２よりも出口部２ｂ側に位置するように突出部２１ｂを上から切り欠き部２２ｃに挿通させる。なお、バスケット３の回転位置が正しくなく、突出部２１ｂが切り欠き部２２ｃに挿通されずに、突出部２１ｂの下面がハウジング側抜け止め部２２の上面に当接する場合には、バスケット３のフランジ３ｂがハウジング２側のガスケット１６まで降りないように構成されている。よって、バスケット３の回転位置が正しくないことを認識することが可能となっている。
【００４３】
また、上記のように切り欠き部２２ｃに突出部２１ｂを上から挿通させるとフランジ３ｂがガスケット１６の上部に載置される。この状態でバスケット３を中心軸線Ｌ周りに回転させ、突出部２１ｂをストッパ２２ｇに当接させることによって、突出部２１ｂの上面をハウジング側抜け止め部２２の下面に対向させる。このような操作を行うことによって抜け止め部２０によるバスケット３の抜け止めが実現され、ハウジング２に対するバスケット３の装着が完了する。
【００４４】
そして、バッグフィルタ４の開口縁部４ａを外側に折り曲げ、折り曲げられた開口縁部４ａをバスケット３のフランジ３ｂ上に載置させ、バッグフィルタ４の取っ手部４ｄをバッグフィルタ４の内側に押し込む。その後、上蓋部５を閉じることにより、上蓋部５の平坦面５ａでバッグフィルタ４の開口縁部４ａとＯリング１４，１５とを上から押圧する。そして、３個の締め付け部１３で上蓋部５をハウジング２と流体導入部７とに締め付けることによって、ハウジング２と上蓋部５と流体導入部７との液密性を確保し、ハウジング２の内部におけるバスケット３及びバッグフィルタ４の設置が完了する。
【００４５】
こうして、濾過装置１に濾過対象の流体を流すことが可能な状態となる。濾過対象の流体は、濾過装置１の外部の管路から流体導入部７に導入され、上蓋部５を経由してハウジング２の入口部２ａに入り込む。そして、入口部２ａに入り込みバッグフィルタ４の内側からバッグフィルタ４の外側に通されて濾過され、バスケット３の内側からバスケット３の外側に通された流体は、出口部２ｂに向かって流下し、出口部２ｂから濾過装置１の外部の管路に排出される。
【００４６】
次に、濾過装置１によって濾過対象の流体の濾過を行った後に、バッグフィルタ４の交換のためにバスケット３からバッグフィルタ４を取り外す手順について説明する。
【００４７】
まず、締め付け部１３による上蓋部５のハウジング２及び流体導入部７に対する締め付けを解除する。そして、上蓋部５を開けてハウジング２の入口部２ａと流体導入部７の開口部７ａとを開放させる。上述したように濾過装置１で流体の濾過を行う際にはバッグフィルタ４の内側からバッグフィルタ４の外側に流体が通されるので、上蓋部５を開けたときには、流体の圧力によってバッグフィルタ４がバスケット３の内面３ａに張り付いた状態となっている。
【００４８】
ここで、仮に抜け止め部２０が設けられていないとした場合、バッグフィルタ４をバスケット３から外そうとするときに、バッグフィルタ４の上側（入口部２ａ側）への引き抜きに伴い、バスケット３もバッグフィルタ４と共にハウジング２から上側に抜けてしまう。また、バスケット３の内面３ａに張り付いたバッグフィルタ４は、バスケット３の孔部３ｃに食い込んでバスケット３から外れにくくなっているので、バッグフィルタ４をバスケット３から取り外すのが非常に面倒になる。
【００４９】
しかしながら、本実施形態に係る濾過装置１は、上述した抜け止め部２０を備えているので、バッグフィルタ４をバスケット３から外そうとすると、バスケット側抜け止め部２１の突出部２１ｂがハウジング側抜け止め部２２に下から当接して引っ掛かる。このため、バッグフィルタ４をバスケット３から引っ張り上げたとしても、バスケット３がハウジング２から抜ける事態が阻止される。よって、バッグフィルタ４を上側へ引っ張り上げることにより、バスケット３からバッグフィルタ４を簡単に取り外すことが可能となる。なお、バスケット３を中心軸線Ｌ周りに回転させて突出部２１ｂの回転位置を切り欠き部２２ｃの回転位置と一致させれば、バスケット３を上側に引き上げることでハウジング２からバスケット３を外すことも可能となる。
【００５０】
以上のように、本実施形態に係る濾過装置１において、バッグフィルタ４はバスケット３の内面３ａに沿って配置され、バスケット３は筒状のハウジング２に収容される。また、中心軸線Ｌの延在方向の一方側に位置する入口部２ａから濾過対象の流体がハウジング２の内部に供給され、この流体は、バッグフィルタ４の内側からバッグフィルタ４の外側に通されて入口部２ａの反対側に位置する出口部２ｂから排出される。また、この濾過装置１には、バスケット３の入口部２ａ側への抜け止めを行う抜け止め部２０が設けられている。従って、抜け止め部２０によってバスケット３の入口部２ａ側への抜けが防止され、ハウジング２に対するバスケット３の位置が固定されるので、交換等のためにバッグフィルタ４を入口部２ａ側へ引っ張ってバッグフィルタ４をバスケット３から取り出す作業を容易に行うことができる。
【００５１】
また、この抜け止め部２０は、バスケット３の底部３ｄに設けられたバスケット側抜け止め部２１と、ハウジング２の内周面２ｅの出口部２ｂ側に設けられたハウジング側抜け止め部２２と、を有している。このように、バスケット側抜け止め部２１とハウジング側抜け止め部２２は入口部２ａから離隔した出口部２ｂ側に設けられるので、入口部２ａ付近に抜け止め部を設ける場合と比べて、入口部２ａ付近の構造を簡易にすることが可能となる。すなわち、バスケット３の抜け止め機能をハウジング２の出口部２ｂ側に設けることによって、ハウジング２の入口部２ａ付近の構造を簡易にさせている。そして、ハウジング２の液密性を確保する機能を入口部２ａ付近で実現させると共に、バスケット３の抜け止め機能を出口部２ｂ側で実現させるという機能分離を図っている。
【００５２】
よって、濾過対象の流体に含まれる異物等が入口部２ａ付近に付着したり、凝固したりする事態を発生しにくくすることができる。そして、出口部２ｂ側は、バッグフィルタ４によって濾過された流体が流れるため、抜け止め部２０に異物等が付着しにくい。従って、この濾過装置１によれば、抜け止め部２０を備えることによりバッグフィルタ４の交換を容易にできると共に、入口部２ａ付近に抜け止め部を設ける場合と比べて、抜け止め部２０に異物等が付着しにくくメンテナンス性を向上させることができる。
【００５３】
また、バスケット側抜け止め部２１は、バスケット３の底部３ｄで中心軸線Ｌの延在方向に直交する方向に突出する突出部２１ｂを有し、ハウジング側抜け止め部２２には、中心軸線Ｌの延在方向に沿って入口部２ａ側から出口部２ｂ側に突出部２１ｂが通される切り欠き部２２ｃが形成されている。そして、抜け止め部２０は、突出部２１ｂがハウジング側抜け止め部２２より出口部２ｂ側に位置する状態で、バスケット３が中心軸線Ｌ周りに回転されたときに、突出部２１ｂとハウジング側抜け止め部２２とが中心軸線Ｌの延在方向に対向することで抜け止めを行う。従って、突出部２１ｂを切り欠き部２２ｃに上から挿通させ、突出部２１ｂをハウジング側抜け止め部２２より出口部２ｂ側に位置させた状態でバスケット３を中心軸線Ｌ周りに回転させることにより、バスケット３の抜け止めを行うことができる。
【００５４】
また、ハウジング側抜け止め部２２の出口部２ｂ側には、突出部２１ｂがハウジング側抜け止め部２２より出口部２ｂ側に位置する状態でバスケット３が中心軸線Ｌ周りに回転されたときに突出部２１ｂが当接するストッパ２２ｇが形成されている。従って、バスケット３の回転に伴って突出部２１ｂがストッパ２２ｇに当接することによって、突出部２１ｂの上面とハウジング側抜け止め部２２の下面とが対向し抜け止め部２０による抜け止めが実現されていることを認識可能となる。また、ストッパ２２ｇを備えることによって、ハウジング２に対するバスケット３の回転位置を把握することも可能となる。
【００５５】
また、濾過装置１において、ハウジング２、バスケット３、バスケット側抜け止め部２１及びハウジング側抜け止め部２２はステンレス製である。ステンレスは、耐食性を有する不動態被膜を表面に形成する。よって、ハウジング２、バスケット３、バスケット側抜け止め部２１及びハウジング側抜け止め部２２を、高い耐食性を有し錆びにくくすることができる。
【００５６】
（第２実施形態）
図１０（ａ）及び図１０（ｂ）に示されるように、第２実施形態に係る濾過装置は、バスケット側抜け止め部２１及びハウジング側抜け止め部２２に代えて、３枚の突出部４１ｂを有するバスケット側抜け止め部４１と、３つの切り欠き部（空隙部）４２ｃ及び３つのストッパ４２ｇを有するハウジング側抜け止め部４２とを備えている。
【００５７】
バスケット側抜け止め部４１の各突出部４１ｂは、バスケット３の周方向で等間隔となる位置に配置されている。各突出部４１ｂの形状は、各突出部２１ｂの形状と同一である。また、ハウジング側抜け止め部４２の各切り欠き部４２ｃは、バスケット側抜け止め部４１の各突出部４１ｂに対応する位置に設けられており、各突出部４１ｂを挿通可能な形状及び大きさとなっている。
【００５８】
よって、第１実施形態と同様、中心軸線Ｌの延在方向にバスケット側抜け止め部４１の基部２１ａをハウジング側抜け止め部４２の孔部２２ｂに上から挿通させると共に、バスケット側抜け止め部４１の各突出部４１ｂをハウジング側抜け止め部４２の各切り欠き部４２ｃに上から挿通させることが可能である。そして、バスケット３を中心軸線Ｌ周りに回転させることにより、突出部４１ｂの上面とハウジング側抜け止め部４２の下面とが中心軸線Ｌの延在方向に対向するので、バスケット３の入口部２ａ側への抜け止めが実現される。
【００５９】
また、ハウジング側抜け止め部４２の各ストッパ４２ｇは、ストッパ２２ｇと同一の形状となっている。各ストッパ４２ｇは、ハウジング側抜け止め部４２の周方向における切り欠き部４２ｃが存在しない位置に設けられており、ハウジング側抜け止め部４２の周方向で等間隔となる位置に配置されている。よって、突出部４１ｂを切り欠き部４２ｃに上から挿通させた状態でバスケット３を中心軸線Ｌ周りに回転させると、突出部４１ｂがストッパ４２ｇに当接する。
【００６０】
以上、３枚の突出部４１ｂを有するバスケット側抜け止め部４１と、３つの切り欠き部４２ｃ及び３つのストッパ４２ｇを有するハウジング側抜け止め部４２とを備えた第２実施形態の濾過装置では、第１実施形態の濾過装置１と同様の効果を得ることができる。このように、突出部、切り欠き部及びストッパの数や配置態様については適宜変更することが可能である。更に、ストッパについては省略することも可能である。
【００６１】
（第３実施形態）
図１１（ａ）に示されるように、第３実施形態に係る濾過装置は、第１実施形態のハウジング側抜け止め部２２に代えて、濾過対象の流体の流路となる流通孔部５２ｈを有するハウジング側抜け止め部５２を備えている。流通孔部５２ｈは、ハウジング側抜け止め部５２の周方向における切り欠き部２２ｃが存在しない位置に設けられており、入口部２ａ側から出口部２ｂ側に貫通されている。流通孔部５２ｈは、ハウジング側抜け止め部５２の周方向に延びるスリットである。
【００６２】
このような流通孔部５２ｈを有する第３実施形態の濾過装置では、第１実施形態の濾過装置１と同様の効果を得ることができる。また、第３実施形態の濾過装置では、第１実施形態の濾過装置１と比較して、ハウジング側抜け止め部における流体の流路面積が大きくなっている。従って、流体導入部７からハウジング２に流れ込んだ流体を滞留させることなく、流体を一層効率よく出口部２ｂから濾過装置１の外部に排出させることが可能となる。なお、流通孔部５２ｈの形状や配置態様は、適宜変更することが可能である。
【００６３】
（第４実施形態）
図１１（ｂ）に示されるように、第４実施形態に係る濾過装置は、第３実施形態の流通孔部５２ｈに代えて、流通切欠き６２ｈを有するハウジング側抜け止め部６２を備えている。流通切欠き６２ｈは、ハウジング側抜け止め部６２の周方向における切り欠き部２２ｃが存在しない位置に設けられており、孔部２２ｂを内側に切り欠いた形状となっている。また、中心軸線Ｌから流通切欠き６２ｈの内周面までの長さＨ４は、バスケット側抜け止め部２１における中心軸線Ｌから突出部２１ｂの外周面２１ｅまでの長さＢ３よりも短くなっている。従って、バスケット側抜け止め部２１の突出部２１ｂをハウジング側抜け止め部６２の流通切欠き６２ｈに挿通させることができないようになっている。
【００６４】
このような流通切欠き６２ｈを有する第４実施形態でも、第１実施形態の濾過装置１と同様の効果を得ることができる。更に、第４実施形態の濾過装置では、第３実施形態の濾過装置と同様、ハウジング側抜け止め部における流体の流路面積が大きくなっているので、流体導入部７からハウジング２に流れ込んだ流体を滞留させることなく一層効率よく流体を出口部２ｂから排出させることができる。なお、流通切欠き６２ｈの形状や配置態様も適宜変更することが可能である。
【００６５】
以上、本考案の実施形態について説明したが、本考案は、上述した各実施形態に限定されるものではなく、種々の形態を採用することができる。
【００６６】
本考案において、バスケットの入口部側への抜け止めを行う抜け止め部としては、種々の構成を採用することができる。例えば、ハウジングの内周面に雌螺子部を設けると共に、バスケットの外周面に雄螺子部を設け、この雌螺子部及び雄螺子部を抜け止め部としてもよい。この場合、バスケットの雄螺子部をハウジングの雌螺子部に螺子込むことによってバスケットの抜け止めが実現される。
【００６７】
また、上記実施形態において、バスケット３はステンレス製であり、孔部３ｃはパンチングによって形成されていたが、本考案のバスケットは種々の方法で製造することができる。例えば、メッシュ状の網目を有するステンレス板をロール加工してシーム溶接によって筒状に成形することでバスケットを製造してもよい。
【００６８】
また、上記実施形態におけるバスケット側抜け止め部の突出部とハウジング側抜け止め部の切り欠き部については、形状及び大きさを適宜変更することが可能である。更に、突出部は基部から中心軸線の延在方向に直交する方向に突出していたが、基部の形状及び大きさは適宜変更可能である。また、基部と基部から突出する突出部とを無くして、バスケットの外周面から突出する突出部を備えてもよい。
【００６９】
また、円筒状のハウジングと有底円筒状のバスケットと有底円筒状のバッグフィルタとを備えていたが、例えば角筒状のハウジングと有底角筒状のバスケットと有底角筒状のバッグフィルタとを備えていてもよく、ハウジングとバスケットとバッグフィルタの形状は適宜変更可能である。
【産業上の利用可能性】
【００７０】
本考案は、バッグフィルタを入口部側へ引っ張ってバッグフィルタをバスケットから取り出す作業を容易に行うことができると共に、流体の入口部付近の構造を簡易にすることが可能な濾過装置として有用である。更に、異物等が入口部付近に付着したり凝固したりする事態を発生しにくくすることが可能であり、メンテナンス性を向上させた濾過装置としても有用である。
【符号の説明】
【００７１】
１…濾過装置、２…ハウジング、２ａ…入口部、２ｂ…出口部、２ｃ…フランジ部、２ｄ…挿通孔、２ｅ…内周面、２ｆ…段部、３…バスケット、３ａ…内面、３ｂ…フランジ、３ｃ…孔部、３ｄ…底部、４…バッグフィルタ、２０…抜け止め部、２１，４１…バスケット側抜け止め部、２１ａ…基部、２１ｂ，４１ｂ…突出部、２２，５２，６２…ハウジング側抜け止め部、２２ａ…外周面、２２ｂ…孔部、２２ｃ…切り欠き部（空隙部）、２２ｄ…平坦面、２２ｅ…内周面、２２ｇ…ストッパ、５２ｈ…流通孔部、６２ｈ…流通切欠き、Ｌ…中心軸線。
【図１】
0003192071.tif 000003
【図２】
0003192071.tif 000004
【図３】
0003192071.tif 000005
【図４】
0003192071.tif 000006
【図５】
0003192071.tif 000007
【図６】
0003192071.tif 000008
【図７】
0003192071.tif 000009
【図８】
0003192071.tif 000010
【図９】
0003192071.tif 000011
【図１０】
0003192071.tif 000012
【図１１】
0003192071.tif 000013